(57)【要約】【課題】  再生データの再生中、データ追記位置がずれた等の理由により、アドレス情報の同期が乱れた場合、アドレス情報は次セクタ以降同期信号を元に同期を合わせることができるが、再生データは同期信号がないため再生データは同期乱れのままずれて再生してしまうという問題があった。【解決手段】  従来の構成に対して、データ再生を停止させる手段を追加し、アドレスが規定サイズよりも短く、アドレス情報の同期信号に異常があった場合は、所定のセクタで一旦データ再生を停止させ、該所定のセクタから再度データ再生を開始させるようにし、また、アドレスが規定サイズよりも長く、アドレス情報の同期信号に異常があった場合は、所定のセクタで一旦データ再生を停止させ、次のセクタから再度データ再生を開始させるように構成した。 【選択図】  図１
2005302092.tif 000002
【特許請求の範囲】
【請求項１】
アドレス情報の同期信号を検出して出力する同期検出部と、
前記アドレス情報の同期信号の検出間隔が所定間隔より短いか否かを検出し、短いと検出した場合、データ再生の停止の指示信号を出力する同期外れ検出部と、
前記同期外れ検出部の指示信号に従って、データ再生の停止を指示する停止指示部と、
光ディスク再生装置の各部の統合制御を行う制御手段と、を備え、
前記制御手段は、データ再生が前記同期外れ検出部からの指示信号を元に停止した場合、前記所定間隔より短い間隔で検出された同期信号を再度検出してデータ再生を再開するように制御する、
ことを特徴とする光ディスク再生装置
【請求項２】
アドレス情報の同期信号を検出出力し、かつ所定間隔まで同期信号を検出できなかった場合、擬似同期信号を生成して出力する同期検出部と、
前記アドレス情報の同期信号の検出間隔が所定間隔より長いかどうかを検出し、長いと検出した場合、データ再生の停止の指示信号、及び所定セクタ数のデータ再生の指示信号を出力する同期無し検出部と、
前記所定セクタ数のデータ再生をカウントし、該カウントを終了したときデータ再生の停止の指示信号を出力する所定データ処理部と、
前記同期無し検出部及び所定データ処理部の指示信号に従って、データ再生の停止を指示する停止指示部と、
光ディスク再生装置の各部の統合制御を行う制御手段と、を備え、
前記制御手段は、データ再生が前記同期無し検出部からの指示信号を元に停止した場合、前記所定データ処理部により停止したデータから前記所定セクタ数分のデータ再生をカウント後に、データ再生を再度停止させた後に、データ再生を再開するように制御する、
ことを特徴とする光ディスク再生装置。
【請求項３】
アドレス情報の同期信号を検出出力し、かつ所定間隔まで同期信号を検出できなかった場合、擬似同期信号を生成して出力する同期検出部と、
前記アドレス情報の同期信号の検出間隔が所定間隔より長いかどうかを検出し、長いと検出した場合、所定セクタ数のデータ再生を指示する信号を出力する同期無し検出部と、
前記所定セクタ数のデータ再生をカウントし、該カウントを終了したときデータ再生の停止の指示信号を出力する所定データ処理部と、
前記所定データ処理部の指示信号に従って、データ再生の停止を指示する停止指示部と、
光ディスク再生装置の各部の統合制御を行う制御手段と、を備え、
前記制御手段は、前記所定データ処理部により前記同期無し検出部からの再生指示信号を元に前記所定セクタ数分のデータ再生をカウント後に、データ再生を停止させた後に、データ再生を再開するように制御する、
ことを特徴とする光ディスク再生装置。
【請求項４】
請求項２又は請求項３に記載の光ディスク再生装置において、
前記所定セクタ数のデータは、１セクタとする、
ことを特徴とする光ディスク再生装置。
【発明の詳細な説明】
【技術分野】
【０００１】
本発明は、光ディスク再生装置に関し、特に、同期信号の乱れたデータを安定に再生できる光ディスク再生装置に関するものである。
【背景技術】
【０００２】
音楽ＣＤのサブコードとメインデータのように、アドレス情報と再生データが異なり、再生データに同期信号がないディスクにおいては、アドレス情報の同期信号を基準に再生データの再生を開始する。
【０００３】
同期信号に異常のある光ディスクを再生する光ディスク再生装置の従来例としては、特許文献１に記載されたものがある。
【０００４】
上記特許文献１に記載された光ディスク再生装置は、光ディスクからデータを読み込む再生信号処理回路と、読み込んだデータを音楽データに生成するエンコーダと、音楽データを無音データに変換するフェーダと、全体を制御するＣＰＵとを備え、同期信号が異常な光ディスクが再生された場合には、上記ＣＰＵによって異常部分のデータのアドレスを検出し、上記エンコーダからの出力に対して所定時間ゼロデータとなるミューティング信号を出力して、同期信号が異常な部分を再生する際に発生する異常音を消滅させるように構成されているものである。
【特許文献１】特開平９−１５３２５６号公報（第７頁、第４図）
【発明の開示】
【発明が解決しようとする課題】
【０００５】
しかしながら、上記従来の技術では、再生データの再生中、データ追記位置がずれた等の理由によりアドレス情報の同期が乱れた場合、アドレス情報は次セクタ以降の同期信号を元に同期を合わせることができるが、該アドレス情報に対応する再生データは同期信号がないため、同期乱れのまま光ディスクから読み出されてしまうという問題がある。
【０００６】
本発明は、上記のような従来の問題を解決するためになされたもので、ディスク上の再生データのアドレス情報の同期が乱れていても、再生データを有効に正しく再生することのできる、光ディスク再生装置を提供することを目的とする。
【課題を解決するための手段】
【０００７】
上記課題を解決するために、本発明では、アドレス情報の同期が乱れたかどうか検出する手段と、同期が乱れたと検出した場合にメインデータのデータ再生を停止させる手段を備え、データ再生が停止した後にアドレス情報の同期が正常なセクタから再度データ再生を行うように制御することにより、同期が乱れた後においても、メインデータのデータずれを防ぐことができる。
【０００８】
すなわち、本発明の請求項１に記載の光ディスク再生装置は、アドレス情報の同期信号を検出して出力する同期検出部と、前記アドレス情報の同期信号の検出間隔が所定間隔より短いか否かを検出し、短いと検出した場合、データ再生の停止の指示信号を出力する同期外れ検出部と、前記同期外れ検出部の指示信号に従って、データ再生の停止を指示する停止指示部と、光ディスク再生装置の各部の統合制御を行う制御手段と、を備え、前記制御手段は、データ再生が前記同期外れ検出部からの指示信号を元に停止した場合、前記所定間隔より短い間隔で検出された同期信号を再度検出してデータ再生を再開するように制御することを特徴とするものである。
【０００９】
これにより、アドレス情報の同期が外れたと検出した場合、データ再生をただちに停止させて、次のアドレス情報の同期が正常なセクタからデータ再生を再開することにより、同期が乱れた後においても、メインデータのデータずれを防ぐことができる。
【００１０】
また、本発明の請求項２に記載の光ディスク再生装置は、アドレス情報の同期信号を検出出力し、かつ所定間隔まで同期信号を検出できなかった場合、擬似同期信号を生成して出力する同期検出部と、前記アドレス情報の同期信号の検出間隔が所定間隔より長いかどうかを検出し、長いと検出した場合、データ再生の停止の指示信号、及び所定セクタ数のデータ再生の指示信号を出力する同期無し検出部と、前記所定セクタ数のデータ再生をカウントし、該カウントを終了したときデータ再生の停止の指示信号を出力する所定データ処理部と、前記同期無し検出部及び所定データ処理部の指示信号に従って、データ再生の停止を指示する停止指示部と、光ディスク再生装置の各部の統合制御を行う制御手段と、を備え、前記制御手段は、データ再生が前記同期無し検出部からの指示信号を元に停止した場合、前記所定データ処理部により停止したデータから前記所定セクタ数分のデータ再生をカウント後に、データ再生を再度停止させた後に、データ再生を再開するように制御することを特徴とするものである。
【００１１】
これにより、アドレス情報の同期が無しと検出した場合、データ再生をただちに停止させ、所定セクタ数のデータを再生してからもう一度データ再生を停止させ、そしてアドレス情報の同期が正常なセクタからデータ再生を再開することにより、同期が乱れた後においても、メインデータのデータずれを防ぐことができる。
【００１２】
本発明の請求項３に記載の光ディスク再生装置は、アドレス情報の同期信号を検出出力し、かつ所定間隔まで同期信号を検出できなかった場合、擬似同期信号を生成して出力する同期検出部と、前記アドレス情報の同期信号の検出間隔が所定間隔より長いかどうかを検出し、長いと検出した場合、所定セクタ数のデータ再生を指示する信号を出力する同期無し検出部と、前記所定セクタ数のデータ再生をカウントし、該カウントを終了したときデータ再生の停止の指示信号を出力する所定データ処理部と、前記所定データ処理部の指示信号に従って、データ再生の停止を指示する停止指示部と、光ディスク再生装置の各部の統合制御を行う制御手段と、を備え、前記制御手段は、前記所定データ処理部により前記同期無し検出部からの再生指示信号を元に前記所定セクタ数分のデータ再生をカウント後に、データ再生を停止させた後に、データ再生を再開するように制御することを特徴とするものである。
【００１３】
これにより、アドレス情報の同期が無しと検出した場合、データ再生を所定セクタ数再生しつづけてから停止させ、そしてアドレス情報の同期が正常なセクタからデータ再生を再開することにより、同期が乱れた後においても、メインデータのデータずれを防ぐことができる。
【００１４】
本発明の請求項４に記載の光ディスク再生装置は、請求項２又は請求項３に記載の光ディスク再生装置において、前記所定セクタ数のデータは、１セクタとすることを特徴とするものである。
【００１５】
これにより、アドレス情報の同期が乱れた後に、メインデータがずれないような正常な状態に早く復帰することができる。
【発明の効果】
【００１６】
本発明では、アドレス情報の同期無しを検出する同期無し検出手段と、アドレス情報の同期外れを検出する同期外れ検出手段と、所定セクタ数のデータを再生させてからデータ再生の停止を指示する所定データ処理手段、及びデータ再生の停止を指示する停止指示手段を備え、同期の乱れが検出された場合、データ再生を停止させ、アドレス情報の同期が正常なセクタからデータ再生を再開するようにしたので、アドレス情報と再生データが異なり、再生データに同期信号がないディスクにおいて、同期が乱れた場合でも、再生データのずれを防いで再生することができる。
【発明を実施するための最良の形態】
【００１７】
以下、本発明の実施の形態を、図面を参照しながら説明する。
【００１８】
（実施の形態１）
次に、本発明の実施の形態１について、図１を用いて説明する。
図１は、本実施の形態１による光ディスク再生装置の構成を示す図である。
【００１９】
図１において、１０１はデータが書き込まれている光ディスク、１０２は光ディスク１０１に書き込まれたデータを読み出す光ピックアップ、１０３はピックアップ１０２の位置決めを行なうサーボ部、１０４は光ディスク１０１を回転させるスピンドルモータ、１０５は、光ピックアップ１０２を通じて読み出された、ディスク１０１に記憶されている信号を復調する復調部、１０６は、復調したデータから同期信号を検出して同期検出通知とアドレス情報通知を行う同期検出部、１０７は、同期検出部１０６より検出された同期信号が規定サイズよりも短い間隔で検出されたかどうかを判断し、短い間隔で検出されたと判断した場合は、同期が外れたとして、データ転送停止の指示を行なう同期外れ検出部、１０８は、同期検出部１０６より検出された同期が規定サイズよりも長い間隔で検出されたかどうかを判断し、長い間隔で検出されたと判断した場合は、同期がないと判断する同期無し検出部、１０９は、復調部１０５より復調されたデータを、システムコントローラ部１１３よりデータ転送起動通知されてから次の同期検出部１０６により検出した同期のタイミングに基づいてデータバッファ部１１２に転送するデータ転送部、１１０は、データ転送部１０９にデータ転送の停止の指示、システムコントローラ１１３にデータ転送停止の通知を行う停止指示部、１１１は、所定セクタ数のデータ再生をカウントした後、停止指示部１１０にデータ転送部１０９へのデータ転送停止の指示を行なう所定データ処理部、１１２は、転送されたデータを一時的に記憶するデータバッファ部、１１３は、システム全体の制御を行なうシステムコントローラ部である。
【００２０】
次に、上記のように構成された本発明の実施の形態１による光ディスク再生装置の動作について説明する。
【００２１】
なお、ここでは、図２に示すように、アドレス情報の同期信号が規定間隔Ｘよりも短い間隔Ｙで検出されるようなデータを再生する場合を例に、装置の動作について説明する。
【００２２】
図２に示すように、アドレスＮ、Ｎ＋１、Ｎ＋２、Ｎ＋３、…、のデータ系列を再生する場合、アドレスＮからデータを再生する時は、システムコントローラ部１１３はまず、サーボ部１０３にターゲットアドレスＮの手前に光ピックアップ１０２を移動することを指示する。
【００２３】
ターゲットアドレスＮの手前から光ディスク１０１より読み込んだデータを復調部１０５により復調し、復調後のデータを同期検出部１０６に転送し、該同期検出部１０６は、復調後のデータから同期信号１を検出し、同期外れ検出部１０７と、同期無し検出部１０８と、システムコントローラ部１１３に、該同期信号１の同期検出通知と、現在保有しているアドレスＮ−１のアドレス情報通知を行う。
【００２４】
システムコントローラ部１１３は、同期検出部１０６より通知されたアドレス情報がターゲットアドレスの一つ手前のアドレス情報Ｎ−１と一致したとき、データ転送部１０９にデータ転送起動の通知を行う。
【００２５】
データ転送部１０９は、次回同期検出部１０６により同期信号が検出されるタイミングで、アドレスＮの再生データをデータバッファ部１１２に転送する。
【００２６】
次に、システムコントローラ部１１３はサーボ部１０３に、ターゲットアドレスＮ＋１の手前に光ピックアップ１０２を移動することを指示する。
【００２７】
ターゲットアドレスＮ＋１の手前から光ディスク１０１より読み込んだデータを復調部１０５により復調し、復調後のデータを同期検出部１０６に転送し、該同期検出部１０６は、復調後のデータから同期信号２を検出し、同期外れ検出部１０７と、同期無し検出部１０８と、システムコントローラ部１１３に、該同期信号２の同期検出通知と、現在保有しているアドレスＮのアドレス情報通知を行う。
【００２８】
システムコントローラ部１１３は、同期検出部１０６より通知されたアドレス情報がターゲットアドレスの一つ手前のアドレス情報Ｎと一致したとき、データ転送部１０９にデータ転送起動の通知を行う。
【００２９】
データ転送部１０９は、データ転送起動の通知をうけて、前回の同期信号１の検出タイミングで再生されたアドレスＮの再生データをデータバッファ部１１２に転送し、また、次回の同期信号の検出タイミングで現在再生中のアドレスＮ＋１の再生データの転送をスケジュールする（図２中のデータの再生(1)）。
【００３０】
次に、システムコントローラ部１１３はサーボ部１０３に、ターゲットアドレスＮ＋２の手前に光ピックアップ１０２を移動するのを指示し、アドレスＮ＋２からデータを再生する。
【００３１】
ターゲットアドレスＮ＋２の手前から光ディスク１０１より読み込んだデータを復調部１０５により復調し、復調後のデータを同期検出部１０６に転送し、該同期検出部１０６は、復調後のデータから同期信号３を検出し、そして同期外れ検出部１０７と、同期無し検出部１０８と、システムコントローラ部１１３に、該同期信号３の同期検出通知を行う。しかし、同期検出部１０６から同期外れ検出部１０７に通知された同期検出のタイミングが規定のサイズよりも短い、即ち、同期信号３が規定のサイズより早く検出されたことにより、同期外れ検出部１０７は、同期が外れたとし、停止指示部１１０にデータ転送停止を指示する。
【００３２】
停止指示部１１０は、データ転送部１０９にデータバッファ部１１２へのデータ転送の停止を指示し、システムコントローラ１１３に、アドレスＮ＋１の再生データの転送の停止を通知する。データ転送部１０９は、停止指示部１１０の指示に従い、データバッファ部１１２へのアドレスＮ＋１の再生データの転送を停止させる。
【００３３】
次に、システムコントローラ部１１３は、サーボ部１０３に、再度、ターゲットアドレスＮ＋２の手前に光ピックアップ１０２を移動するのを指示して、アドレスＮ＋２からデータを再生する。
【００３４】
ターゲットアドレスＮ＋２の手前から光ディスク１０１より読み込んだデータを復調部１０５により復調し、復調後のデータを同期検出部１０６に転送し、該同期検出部１０６は、復調後のデータから同期信号３を検出し、そして同期外れ検出部１０７と、同期無し検出部１０８と、システムコントローラ部１１３に、該同期信号３の同期検出通知と、現在保有しているアドレスＮ＋１のアドレス情報通知を行う。
【００３５】
システムコントローラ部１１３は、同期検出部１０６より通知されたアドレス情報がターゲットアドレスの一つ手前のアドレス情報Ｎ＋１と一致したとき、データ転送部１０９にデータ転送起動の通知を行う。
【００３６】
データ転送部１０９は、データ転送起動の通知をうけて、前回の同期検出のタイミングで再生されたアドレスＮ＋１の再生データをデータバッファ部１１２に転送する（図２のデータの再生(2)）。
【００３７】
このように、本実施の形態１による光ディスク再生装置では、アドレスＮ＋２の同期外れの検出で再生データの転送を停止させ、アドレス情報の同期が正常なセクタである、アドレスＮ＋２からデータ再生を再開するようにしたので、同期乱れに起因するアドレス情報の同期と再生データのずれをなくし、アドレスＮ＋２以降のアドレス情報の同期と再生データを正しい対応関係に戻すことができる。
【００３８】
（実施の形態２）
以下、本発明の実施の形態２による光ディスク再生装置について説明する。
本実施の形態２では、同期検出部１０６は、アドレス情報の同期信号を検出出力し、かつ所定間隔まで同期信号を検出できなかった場合、擬似同期信号を生成して出力し、同期無し検出部１０８は、同期検出部１０６より検出された同期信号が規定サイズよりも長い間隔で検出されたかどうかを判断し、長い間隔で検出されたと判断した場合は、同期がないとして、停止指示部１１０にデータ転送停止の指示、所定データ処理部１１１に所定セクタ数のデータ再生の指示を行ない、また、所定データ処理部１１１は、同期無し検出部１０８からの指示により、所定セクタ数と同数の同期検出通知をカウントした後、即ち、所定セクタ数のデータ再生をカウントした後に、停止指示部１１０にデータ転送部１０９へのデータ転送停止の指示を行なうものである。なお、本実施の形態２では、所定セクタ数、あるいは、所定の同期検出通知回数は１とする。
【００３９】
次に、図３に示すように、アドレス情報の同期信号が規定間隔Ｘよりも長い間隔Ｚで検出されるようなデータを再生する場合を例に、本実施の形態２による光ディスク再生装置の動作を説明する。
【００４０】
図３に示すように、アドレスＮ＋１からデータを再生する時は、システムコントローラ部１１３はまず、サーボ部１０３にターゲットアドレスＮ＋１の手前に光ピックアップ１０２を移動することを指示する。
【００４１】
ターゲットアドレスＮ＋１の手前から光ディスク１０１より読み込んだデータを復調部１０５により復調し、復調後のデータを同期検出部１０６に転送し、該同期検出部１０６は、復調後のデータから同期信号２を検出し、同期外れ検出部１０７と、同期無し検出部１０８と、所定データ処理部１１１と、システムコントローラ部１１３に、該同期信号２の同期検出通知と、現在保有しているアドレスＮのアドレス情報通知を行う。
【００４２】
システムコントローラ部１１３は、同期検出部１０６より通知されたアドレス情報がターゲットアドレスの一つ手前のアドレス情報Ｎと一致したとき、データ転送部１０９にデータ転送起動の通知を行う。
【００４３】
データ転送部１０９は、データ転送起動の通知をうけて、所定データ処理部１１１にデータ転送起動の通知を行い、前回の同期信号１の検出タイミングで再生されたアドレスＮの再生データをデータバッファ部１１２に転送し、次回の同期信号の検出タイミングで現在再生中のアドレスＮ＋１の再生データの転送をスケジュールする（図３のデータの再生(1)）。
【００４４】
次に図３におけるアドレスＮ＋２のように同期検出部１０６から同期無し検出部１０８に通知された同期検出のタイミングが規定のサイズよりも長い場合、同期検出部１０６は、規定のサイズを超えると擬似同期信号３を出力し、同期外れ検出部１０７と、同期無し検出部１０８と、所定データ処理部１１１と、システムコントローラ部１１３に、該擬似同期信号３の同期検出通知と、現在保有しているアドレスＮ＋１のアドレス情報通知を行う。
【００４５】
同期無し検出部１０８は、同期無しと判断して停止指示部１１０にデータ転送停止の指示を行い、所定データ処理部１１１に所定データ分の再生の指示を行なう（図４のステップＳ４０１）。
【００４６】
ここでは、システムコントローラ部１１３は、擬似同期信号を受けてデータ転送部１０９にデータ転送起動の通知を行い、データ転送部１０９は、所定データ処理部１１１にデータ転送起動の通知を行い、データバッファ部１１２へアドレスＮ＋１の再生データを転送する（図４のステップＳ４０２）。
【００４７】
一方、停止指示部１１０は、同期無し検出部１０８からの指示により、データ転送部１０９にデータバッファ部１１２へのデータの転送の停止を指示し、システムコントローラ１１３にアドレスＮ＋１の再生データの転送の停止を通知する。
【００４８】
データ転送部１０９は、停止指示部１１０の指示に従い、擬似同期信号のタイミングで始まったデータバッファ部１１２へのアドレスＮ＋１の再生データの転送を停止させる。
【００４９】
同期無し検出部１０８により所定データ分の再生が指示された以降で、かつシステムコントローラ１１３がデータ転送部１０９に、該データ転送部１０９が所定データ処理部１１１に、データ転送起動の通知を行った時点で、所定データ処理部１１１は、同期検出部１０６より通知された同期検出通知のカウントを始める。この時点では、カウント数は０である。
【００５０】
次に、システムコントローラ部１１３はサーボ部１０３にターゲットアドレスＮ＋２の手前に光ピックアップ部１０２を移動することを指示し、アドレスＮ＋２からデータを再生する。
【００５１】
ターゲットアドレスＮ＋２の手前から光ディスク１０１より読み込んだデータを復調部１０５により復調し、復調後のデータを同期検出部１０６に転送し、該同期検出部１０６は、復調後のデータから同期信号４を検出し、同期外れ検出部１０７と、同期無し検出部１０８と、システムコントローラ部１１３に、該同期信号４の同期検出通知と、現在保持しているアドレスＮ＋１のアドレス情報通知を行う。
【００５２】
所定データ処理部１１１は、同期信号４の同期検出通知をうけてカウントアップし、カウント数が１となる（図４のステップＳ４０３）。
【００５３】
システムコントローラ部１１３は、同期検出部１０６より通知されたアドレス情報がターゲットアドレスの一つ手前のアドレス情報Ｎ＋１と一致したとき、データ転送部１０９にデータ転送起動の通知を行う。
【００５４】
データ転送部１０９では、所定データ処理部１１１にデータ転送起動の通知を行い、前回の同期信号３の検出タイミングで再生されたアドレスＮ＋１の再生データをデータバッファ部１１２に転送する（図３のデータの再生(2)）。
【００５５】
次に、システムコントローラ部１１３はサーボ部１０３にターゲットアドレスＮ＋３の手前に光ピックアップ部１０２を移動することを指示する。
【００５６】
ターゲットアドレスＮ＋３の手前から光ディスク１０１より読み込んだデータを復調部１０５により復調し、復調後のデータを同期検出部１０６に転送し、該同期検出部１０６は、復調後のデータから同期信号５を検出し、同期外れ検出部１０７と同期無し検出部１０８とシステムコントローラ部１１３に、該同期信号５の同期検出通知と、現在保持しているアドレスＮ＋１のアドレス情報通知を行う。
【００５７】
所定データ処理部１１１は、同期信号５の同期検出通知をうけてカウントアップし、カウント数が２となり、所定分の同期通知回数を超えたとき、停止指示部１１０にデータ転送の停止を指示する（図４のステップＳ４０３〜Ｓ４０４）。
【００５８】
停止指示部１１０はデータ転送部１０９にデータバッファ部１１２へのデータの転送の停止を指示し、システムコントローラ１１３にアドレスＮ＋２の再生データの転送の停止を通知する。データ転送部１０９は、データバッファ部１１２へのアドレスＮ＋２の再生データの転送を停止させる。
【００５９】
次に、システムコントローラ部１１３は、サーボ部１０３に、再度、ターゲットアドレスＮ＋３の手前に光ピックアップ部１０２を移動することを指示する。
【００６０】
ターゲットアドレスＮ＋３の手前から光ディスク１０１より読み込んだデータを復調部１０５により復調し、復調後のデータを同期検出部１０６に転送し、該同期検出部１０６は、復調後のデータから同期信号５を検出し、同期外れ検出部１０７と、同期無し検出部１０８と、システムコントローラ部１１３に、該同期信号５の同期検出通知と、現在保持しているアドレスＮ＋２のアドレス情報通知を行う。
【００６１】
システムコントローラ部１１３は、同期検出部１０６より通知されたアドレス情報がターゲットアドレスの一つ手前のアドレス情報Ｎ＋２と一致したとき、データ転送部１０９にデータ転送起動の通知を行う。
【００６２】
データ転送部１０９では、前回の同期信号４の検出タイミングで再生されたアドレスＮ＋２の再生データをデータバッファ部１１２に転送する（図３のデータの再生(3)）。
【００６３】
このように、本実施の形態２による光ディスク再生装置では、アドレスＮ＋２の同期無しの検出で擬似同期信号を受けてデータの転送を停止させ、アドレスＮ＋２から１セクタ分のデータの再生を行って、再度データ再生を停止してから、アドレス情報の同期が正常なセクタである、アドレスＮ＋３からデータ再生を再開するようにしたので、同期乱れに起因するアドレス情報の同期と再生データのずれをなくし、アドレスＮ＋３以降のアドレス情報の同期と再生データを正しい対応関係に戻させることができる。また、擬似同期信号のタイミングでデータの転送を必ず停止させることにより、次の同期信号の状況に関わらず、確実にデータがずれることなくデータ系列を再生することができる。
【００６４】
（実施の形態３）
以下、本発明の実施の形態３による光ディスク再生装置について説明する。
本実施の形態３では、同期検出部１０６は、アドレス情報の同期信号を検出出力し、かつ所定間隔まで同期信号を検出できなかった場合、擬似同期信号を生成して出力し、同期無し検出部１０８は、同期検出部１０６より検出された同期が規定サイズよりも長い間隔で検出されたかどうかを判断し、長い間隔で検出されたと判断した場合は、同期がないとして、所定データ処理部１１１に所定セクタ数のデータ再生の指示を行なうものである。また、所定データ処理部１１１は、同期無し検出部１０８からの指示により、所定セクタ数と同数の同期検出通知をカウントした後、即ち所定セクタ数のデータ再生をカウントした後、停止指示部１１０にデータ転送部１０９へのデータ転送停止の指示を行なうものである。なお、本実施の形態３では、前記所定セクタ数、あるいは、所定の同期検出通知回数は１とする。
【００６５】
次に、図５に示すように、アドレス情報の同期信号が規定間隔Ｘよりも長い間隔Ｚで検出されるようなデータを再生する場合を例に、本実施の形態３による光ディスク再生装置の動作を説明する。
【００６６】
図５に示すように、アドレスＮ＋１からデータを再生する時は、システムコントローラ部１１３はまず、サーボ部１０３にターゲットアドレスＮ＋１の手前に光ピックアップ１０２を移動することを指示する。
【００６７】
ターゲットアドレスＮ＋１の手前から光ディスク１０１より読み込んだデータを復調部１０５により復調し、復調後のデータを同期検出部１０６に転送し、該同期検出部１０６は、復調後のデータから同期信号２を検出し、同期外れ検出部１０７と、同期無し検出部１０８と、所定データ処理部１１１と、システムコントローラ部１１３に、該同期信号２の同期検出通知と、現在保有しているアドレスＮのアドレス情報を通知する。
【００６８】
システムコントローラ部１１３は、同期検出部１０６より通知されたアドレス情報がターゲットアドレスの一つ手前のアドレス情報Ｎと一致したとき、データ転送部１０９にデータ転送起動の通知を行う。
【００６９】
データ転送部１０９は、データ転送起動の通知をうけて、所定データ処理部１１１にデータ転送起動の通知を行い、前回の同期信号１の検出タイミングで再生されたアドレスＮの再生データをデータバッファ部１１２に転送し、次回の同期信号の検出タイミングで現在再生中のアドレスＮ＋１の再生データの転送をスケジュールする（図５のデータ再生(1)）。
【００７０】
次に、図５におけるアドレスＮ＋２のように同期検出部１０６から同期無し検出部１０８に通知された同期検出のタイミングが規定のサイズよりも長い場合、同期検出部１０６は、規定のサイズを超えると擬似同期信号３を出力し、同期外れ検出部１０７と、同期無し検出部１０８と、所定データ処理部１１１と、システムコントローラ部１１３に、該擬似同期信号３の同期検出通知と、現在保有しているアドレスＮ＋１のアドレス情報通知を行う。
【００７１】
同期無し検出部１０８は、同期無しと判断して所定データ処理部１１１に所定データ分の再生の指示を行なう（図６のステップＳ６０１）。
【００７２】
所定データ処理部１１１は、同期無し検出部１０８からの所定セクタ数のデータ再生が通知されてから同期検出部１０６より通知された同期検出通知をカウントする。この時点では、カウント数は０である。
【００７３】
システムコントローラ１１３は、擬似同期信号３を受け、かつ同期検出部１０６より通知されたアドレス情報がターゲットアドレスの一つ手前のアドレス情報Ｎ＋１と一致したとき、データ転送部１０９にデータ転送起動の通知を行い、データ転送部１０９は、前回の同期信号２の検出タイミングで再生されたアドレスＮ＋１の再生データを転送する。
【００７４】
次に、システムコントローラ部１１３はサーボ部１０３にターゲットアドレスＮ＋２の手前に光ピックアップ部１０２を移動することを指示する。
【００７５】
ターゲットアドレスＮ＋２の手前から光ディスク１０１より読み込んだデータを復調部１０５により復調し、復調後のデータを同期検出部１０６に転送し、該同期検出部１０６は、復調後のデータから同期信号４を検出し、同期外れ検出部１０７と、同期無し検出部１０８と、システムコントローラ部１１３に、該同期信号４の同期検出通知と、現在保持しているアドレスＮ＋１のアドレス情報通知を行う。
【００７６】
所定データ処理部１１１は、同期信号４の同期検出通知をうけてカウントアップし、カウント数が１となる（図６のステップＳ６０２）。
【００７７】
次に、システムコントローラ部１１３はサーボ部１０３にターゲットアドレスＮ＋３の手前に光ピックアップ部１０２を移動することを指示する。
【００７８】
ターゲットアドレスＮ＋３の手前から光ディスク１０１より読み込んだデータを復調部１０５により復調し、復調後のデータを同期検出部１０６に転送し、該同期検出部１０６は、復調後のデータから同期信号５を検出し、同期外れ検出部１０７と、同期無し検出部１０８と、システムコントローラ部１１３に、該同期信号５の同期検出通知と、現在保持しているアドレスＮ＋２のアドレス情報通知を行う。
【００７９】
所定データ処理部１１１は、同期信号４の同期検出通知をうけてカウントアップし、カウント数が２となり、所定の同期検出通知回数に達したとき、停止指示部１１０にデータ転送の停止を指示する（図６のステップＳ６０２〜Ｓ６０４）。
【００８０】
停止指示部１１０は、データ転送部１０９にデータバッファ部１１２へのデータの転送の停止を指示し、システムコントローラ１１３に、アドレスＮ＋２の再生データの転送の停止を通知する。データ転送部１０９は、データバッファ部１１２へのアドレスＮ＋２の再生データの転送を停止させる。
【００８１】
次に、システムコントローラ部１１３は、サーボ部１０３に、再度、ターゲットアドレスＮ＋３の手前に光ピックアップ部１０２を移動することを指示する。
【００８２】
ターゲットアドレスＮ＋３の手前から光ディスク１０１より読み込んだデータを復調部１０５により復調し、復調後のデータを同期検出部１０６に転送し、該同期検出部１０６は、復調後のデータから同期信号５を検出し、同期外れ検出部１０７と、同期無し検出部１０８と、システムコントローラ部１１３に、該同期信号５の同期検出通知と、現在保持しているアドレスＮ＋２のアドレス情報通知を行う。
【００８３】
システムコントローラ部１１３は、同期検出部１０６より通知されたアドレス情報がターゲットアドレスの一つ手前のアドレス情報Ｎ＋２と一致したとき、データ転送部１０９にデータ転送起動の通知を行う。
【００８４】
データ転送部１０９では、前回の同期信号４の検出タイミングで再生されたアドレスＮ＋２の再生データをデータバッファ部１１２に転送する（図５のデータの再生(2)）。
【００８５】
このように、本実施の形態３による光ディスク再生装置では、アドレスＮ＋２の同期無しの検出で出力された擬似同期信号を受けたときに１セクタのデータを再生し続けてからデータ再生を停止させ、そしてアドレス情報の同期が正常なセクタである、アドレスＮ＋３からデータ再生を再開することにより、同期乱れに起因するアドレス情報の同期と再生データのずれをなくし、アドレスＮ＋３以降のアドレス情報の同期と再生データを正しい対応関係に戻させることができる。特に、擬似同期信号の後に続く同期信号が正常な場合、データ再生の停止が一回のみでアドレス情報の同期とデータのずれを防ぐことができる。
【産業上の利用可能性】
【００８６】
本発明にかかるディスク再生装置は、同期が乱れるようなディスクデータに対して、データと同期がずれることなく、データ再生を行うことができるという効果を有するものであり、ドライブの再生データの品質を向上させることのできる光ディスク再生装置として有用である。
【図面の簡単な説明】
【００８７】
【図１】本発明の実施の形態１乃至実施の形態３による光ディスク再生装置の構成を示すブロック図である。
【図２】本発明の実施の形態１における、規定値よりも短いセクタを含むデータ例と、その再生の様子を示す図である。
【図３】本発明の実施の形態２における、規定値よりも長いセクタを含むデータ例と、その再生の様子を示す図である。
【図４】本発明の実施の形態２における、所定データ処理部の動作フロー図である。
【図５】本発明の実施の形態３における、規定値よりも長いセクタを含むデータ例と、その再生の様子を示す図である。
【図６】本発明の実施の形態３における、所定データ処理部の動作フロー図である。
【符号の説明】
【００８８】
１０１  光ディスク
１０２  光ピックアップ部
１０３  サーボ部
１０４  スピンドルモーター部
１０５  復調部
１０６  同期検出部
１０７  同期外れ検出部
１０８  同期無し検出部
１０９  データ転送部
１１０  停止指示部
１１１  所定データ処理部
１１２  データバッファ部
１１３  システムコントローラ部
【図１】
2005302092.tif 000003
【図２】
2005302092.tif 000004
【図３】
2005302092.tif 000005
【図４】
2005302092.tif 000006
【図５】
2005302092.tif 000007
【図６】
2005302092.tif 000008